(57)【要約】【課題】  ＡＤＳＬアダプタの入力インピーダンスの周波数特性を、ケーブルのインピーダンスの周波数特性とマッチングさせること。【解決手段】  回線接続端子Ｉ１、Ｉ２とスプリッタ接続端子Ｏ１、Ｏ２間に接続されたハイパスフィルタ回路２０と、回線接続端子Ｉ１、Ｉ２とユニット接続端子Ｐ１，Ｐ２間に接続された第１のローパスフィルタ回路３０と、スプリッタ接続端子Ｏ１、Ｏ２とユニット接続端子Ｐ３、Ｐ４間に接続された、第２のローパスフィルタ回路４０および可飽和トランス部５０とを有するＡＤＳＬアダプタ１０において、ハイパスフィルタ回路２０は、端子Ｉ１と端子Ｏ１との間に直列接続されたコンデンサＣ１、Ｃ３と、端子Ｉ２と端子Ｏ２との間に直列接続されたコンデンサＣ２、Ｃ４と、コンデンサＣ１、Ｃ３の接続点とコンデンサＣ２、Ｃ４の接続点との間に並列に接続されたインダクタＬ１、抵抗器Ｒ１とを有する。【選択図】      図１
2005191652.tif 000002
【特許請求の範囲】
【請求項１】
電話回線に接続される第１および第２の回線接続端子（Ｉ１、Ｉ２）と、ＡＤＳＬスプリッタフィルタ（８０）に接続される第１および第２のスプリッタ接続端子（Ｏ１、Ｏ２）と、ネットワーク・コントロール・ユニット（６０）に接続される第１乃至第４のユニット接続端子（Ｐ１〜Ｐ４）とを持つＡＤＳＬアダプタ（１０）であって、前記第１および前記第２のユニット接続端子（Ｐ１、Ｐ２）は、前記ネットワーク・コントロール・ユニット（６０）内で、それぞれ、前記第４および前記第３のユニット接続端子（Ｐ４、Ｐ３）と互いに接続されており、前記ＡＤＳＬアダプタ（１０）は、
前記第１および第２の回線接続端子（Ｉ１、Ｉ２）と、前記第１および前記第２のスプリット接続端子（Ｏ１、Ｏ２）との間に配置されたハイパスフィルタ回路（２０）と、
前記第１および前記第２のユニット接続端子（Ｐ１、Ｐ２）と、前記第１および前記第２の回線接続端子（Ｉ１、Ｉ２）と間に配置された第１のローパスフィルタ回路（３０）と、
前記第３および前記第４のユニット接続端子（Ｐ３、Ｐ４）と、前記第１および前記第２のスプリッタ接続端子（Ｏ１、Ｏ２）との間に配置された、第２のローパスフィルタ回路（４０）および可飽和トランス部（５０）とを備え、
前記ハイパスフィルタ回路（２０）は、第１乃至第４のコンデンサ（Ｃ１〜Ｃ４）と、インダクタ（Ｌ１）と、抵抗器（Ｒ１）とを有し、前記第１のコンデンサ（Ｃ１）と前記第３のコンデンサ（Ｃ３）とは、前記第１の回線接続端子（Ｉ１）と前記第１のスプリッタ接続端子（Ｏ１）との間に直列に接続されており、前記第２のコンデンサ（Ｃ２）と前記第４のコンデンサ（Ｃ４）とは、前記第２の回線接続端子（Ｉ２）と前記第２のスプリッタ接続端子（Ｏ２）との間に直列に接続されており、前記インダクタ（Ｌ１）と前記抵抗器（Ｒ１）とは、前記第１および前記第３のコンデンサ（Ｃ１とＣ３）の接続点と、前記第２および前記第４のコンデンサ（Ｃ２とＣ４）の接続点との間に並列に接続されていることを特徴とするＡＤＳＬアダプタ。
【発明の詳細な説明】
【技術分野】
【０００１】
本発明は、ＡＤＳＬ（Asymmetric Digital Subscriber Line）アダプタに関し、特に、ガス検針等を行う機能を有するＡＤＳＬ回線に使用されるのに好適なＡＤＳＬアダプタに関する。
【背景技術】
【０００２】
周知のように、ＡＤＳＬとは、既存の銅線（メタリック）電話加入者線を使って高速データ伝送をする技術をいい、「非対称デジタル加入者線」とも訳される。換言すれば、ＡＤＳＬは、一対のメタリックペア線を用いた高速データ伝送方式の一種であり、通信センタと加入者間の伝送方向によって、データ伝送速度が異なる非対称形伝送方式である。一般的に、通信センタから加入者（下り）方向への伝送速度は、上り方向のデータ伝送速度より高い。ＰＯＴＳ（Plain Old Telephone Service）スプリッタを用いて電話の音声信号とデータとを同一のメタリック線上に周波数多重化することにより、電話の音声信号とデータとの同時伝送が可能である。すなわち、インターネットを接続したままの状態で、電話による通信が可能である。
【０００３】
ＡＤＳＬアダプタは、電話回線と、電話機に接続されるＡＤＬＳスプリッタフィルタ（ＰＯＴＳスプリッタ）と、ネットワーク・コントロール・ユニット（ＮＣＵ）との間に挿入される。
【０００４】
本出願人は、特願２００２−２８９９９５号としてＡＤＳＬアダプタを既に出願している。この出願を以下「先願」と呼ぶ。
【０００５】
図３に先願のＡＤＳＬアダプタを示す。図３に示されるように、ＡＤＳＬアダプタ１０Ａは、電話回線（図示せず）と、ネットワーク・コントロール・ユニット６０と、ＡＤＳＬスプリッタフィルタ８０との間に接続されている。
【０００６】
ＡＤＳＬアダプタ１０Ａは、電話回線に接続される第１および第２の回線接続端子Ｉ１、Ｉ２と、ＡＤＳＬスプリッタフィルタ８０に接続される第１および第２のスプリッタ接続端子Ｏ１、Ｏ２と、ネットワーク・コントロール・ユニット６０に接続される第１乃至第４のユニット接続端子Ｐ１、Ｐ２、Ｐ３、Ｐ４とを持つ。
【０００７】
第１および第２の回線接続端子Ｉ１、Ｉ２は、それぞれ、第１および第２の入力端子とも呼ばれる。第１および第２のスプリッタ接続端子Ｏ１、Ｏ２は、それぞれ、第１および第２の出力端子とも呼ばれる。また、第１乃至第４のユニット接続端子Ｐ１〜Ｐ４は、それぞれ、第１乃至第４の制御端子とも呼ばれる。
【０００８】
ネットワーク・コントロール・ユニット６０において、第１のユニット接続端子Ｐ１と第４のユニット接続端子Ｐ４とは互いに接続され、第２のユニット接続端子Ｐ２と第３のユニット接続端子Ｐ３とは互いに接続されている。
【０００９】
ＡＤＳＬアダプタ１０Ａは、第１および第２の回線接続端子Ｉ１、Ｉ２と第１および第２のスプリッタ接続端子Ｏ１、Ｏ２との間に配置されたハイパスフィルタ回路２０Ａと、第１および第２のユニット接続端子Ｐ１、Ｐ２と第１および第２の回線接続端子Ｉ１、Ｉ２との間に配置された第１のローパスフィルタ回路３０と、第３および第４のユニット端子Ｐ３、Ｐ４（すなわち、第１および第２のユニット接続端子Ｐ１、Ｐ２）と第１および第２のスプリッタ接続端子Ｏ１、Ｏ２との間に配置された、第２のローパスフィルタ４０および可飽和トランス部５０とを有する。
【００１０】
第１の回線接続端子Ｉ１と第２の回線接続端子Ｉ２との間には、第１のサージ吸収素子Ｚ１が接続されている。
【００１１】
ハイパスフィルタ回路２０Ａは、第１乃至第４のハイパス用コンデンサＣ１、Ｃ２、Ｃ３、Ｃ４と、ハイパス用インダクタＬ１とを有する。第１のハイパス用コンデンサＣ１と第３のハイパス用コンデンサＣ３とは、第１の回線接続端子Ｉ１と第１のスプリッタ接続端子Ｏ１との間に直列に接続されて配置されている。第２のハイパス用コンデンサＣ２と第４のハイパス用コンデンサＣ４は、第２の回線接続端子Ｉ２と第２のスプリッタ接続端子Ｏ２との間に直列に接続されて配置されている。ハイパス用インダクタＬ１は、第１のハイパス用コンデンサＣ１と第３のハイパス用コンデンサＣ３との接続点と、第２のハイパス用コンデンサＣ２と第４のハイパス用コンデンサＣ４との接続点との間に配置されている。
【００１２】
ハイパスフィルタ回路２０Ａは、第２および第３のサージ吸収素子Ｚ２、Ｚ３を更に有する。第２のサージ吸収素子Ｚ２は、第１の回線接続素子Ｉ１と第１のスプリッタ接続素子Ｏ１との間に接続されている。第３のサージ吸収素子Ｚ３は、第２の回線接続端子Ｉ２と第２のスプリッタ接続端子Ｏ２との間に接続されている。
【００１３】
第１のローパスフィルタ回路３０は、磁性体コア（図示せず）と、この磁性体コアにトランス巻線構造にて形成された第１および第２のローパス用インダクタＬａ、Ｌｂと、第１のローパス用コンデンサＣａとから構成されている。第１のローパス用インダクタＬａは、第１の回線接続端子Ｉ１と第１のユニット接続端子Ｐ１との間に接続されている。第２のローパス用インダクタＬｂは、第２の回線接続端子Ｉ２と第２のユニット接続端子Ｐ２との間に接続されている。第１のローパス用コンデンサＣａは、その一端が第１のユニット接続端子Ｐ１に接続され、その他端が抵抗器Ｒａを介して第２のユニット接続端子Ｐ２に接続されている。
【００１４】
第２のローパスフィルタ回路４０は、第３および第４のローパス用インダクタＬｃ、Ｌｄと、第２のローパス用コンデンサＣｂとから構成されている。第３のローパス用インダクタＬｃは、その一端が第１のスプリッタ接続端子Ｏ１に接続され、その他端が可飽和トランス部５０を介して第４のユニット接続端子Ｐ４に接続されている。第４のローパス用インダクタＬｄは、その一端が第２のスプリッタ接続端子Ｏ２に接続され、その他端が可飽和トランス部５０を介して第３のユニット接続端子Ｐ３に接続されている。第２のローパス用コンデンサＣｂは、第３のユニット接続端子Ｐ３と第４のユニット接続端子Ｐ４との間に接続されている。
【００１５】
可飽和トランス部５０は、磁性体コア（図示せず）と、この磁性体にトランス巻線構造にて形成された第１および第２つトランス用インダクタＬＸ、ＬＹと、第１および第２のトランス用抵抗器Ｒｘ、ＲＹとから構成されている。第１のトランス用インダクタＬＸは、第３のローパス用インダクタＬｃの他端と第４のユニット接続端子Ｐ４との間に接続されている。第２のトランス用インダクタＬＹは、第４のローパス用インダクタＬｄの他端と第３のユニット接続端子Ｐ３との間に接続されている。第１のトランス用抵抗器ＲＸは第１のトランス用インダクタＬＸに並列に接続され、第２のトランス用抵抗器ＲＹは第２のトランス用インダクタＬＹに並列に接続されている。
【００１６】
尚、ネットワーク・コントロール・ユニット（ＮＣＵ）６０は制御部７０を備えている。ネットワーク・コントロール・ユニット６０は、音声信号を通過すると共に、図示しないガス検針器からのアナログ信号を重畳する。
【００１７】
一方、ＡＤＳＬスプリッタフィルタ８０は、ＡＤＳＬアダプタ１０Ａの第１および第２のスプリッタ接続端子Ｏ１、Ｏ２と、電話機（図示せず）と、ＡＤＳＬモデム（図示せず）との間に接続されている。
【００１８】
ＡＤＳＬスプリッタフィルタ８０は、電話機に接続される第１および第２の電話機接続端子Ｔ１、Ｔ２と、ＡＤＳＬモデムに接続される第１および第２のモデム接続端子Ｍ１、Ｍ２とを持つ。ＡＤＳＬスプリッタフィルタ８０は、第１乃至第４のスプリッタ用インダクタＬ１０、Ｌ２０、Ｌ３０、Ｌ４０と、第１乃至第４のスプリッタ用コンデンサＣ１０、Ｃ２０、Ｃ３０、Ｃ４０とから構成されている。
【００１９】
第１のスプリッタ用インダクタＬ１０と第３のスプリッタ用インダクタＬ３０とは、第１のスプリッタ接続端子Ｏ１と第１の電話機接続端子Ｔ１との間に直列に接続されている。第２のスプリッタ用インダクタＬ２０と第４のスプリッタ用インダクタＬ４０とは、第２のスプリッタ接続端子Ｏ２と第２の電話機接続端子Ｔ２との間に直列に接続されている。第１のスプリッタ用コンデンサＣ１０は、第１のスプリッタ用インダクタＬ１０と第３のスプリッタ用インダクタＬ３０との接続点と、第２のスプリッタ用インダクタＬ２０と第４のスプリッタ用インダクタＬ４０との接続点との間に接続されている。第２のスプリッタ用コンデンサＣ２０は、第１の電話機接続端子Ｔ１と第２の電話機接続端子Ｔ２との間に接続されている。第３のスプリッタ用コンデンサＣ３０は、第１のスプリッタ接続端子Ｏ１と第１のモデム接続端子Ｍ１との間に接続されている。第４のスプリッタ用コンデンサＣ４０は、第２のスプリッタ接続端子Ｏ２と第２のモデム接続端子Ｍ２との間に接続されている。
【００２０】
図４に、図３に示された先願のＡＤＳＬアダプタ１０Ａのインピーダンス対周波数特性が図示されている。図４において、横軸は周波数を示し、縦軸はインピーダンス（Ω）を示している。図４から、先願のＡＤＳＬアダプタ１０Ａの入力インピーダンスの周波数特性は、２０ｋＨｚ近傍にて、その入力インピーダンスが低下傾向から上昇傾向となり、１００ｋＨｚ以上では、その入力インピーダンスがケーブルのインピーダンスである１１０Ωに収束していることが分かる。
【発明の開示】
【発明が解決しようとする課題】
【００２１】
図４から明らかなように、先願のＡＤＳＬアダプタ１０Ａの場合には、その入力インピーダンスの周波数特性が、ケーブルのインピーダンスと大幅にずれており、その結果、通信データの周波数帯域が狭くなるという問題がある。
【００２２】
本発明の目的は、入力インピーダンスの周波数特性を、ケーブルのインピーダンスの周波数特性とマッチングさせ、通信データの周波数帯域を広くできるＡＤＳＬアダプタを提供することにある。
【課題を解決するための手段】
【００２３】
本発明者は、種々の試行錯誤の結果、図４に示されるように、先願のＡＤＳＬアダプタ１０Ａの入力インピーダンスの周波数特性が、ケーブルのインピーダンスの周波数特性に対して大幅にずれる原因が、ＡＤＳＬアダプタ１０Ａを構成するハイパスフィルタ回路２０Ａのインピーダンスが２０ｋＨｚ近傍にてずれているからであることを突き止めた。
【００２４】
本発明によれば、電話回線に接続される第１および第２の回線接続端子（Ｉ１、Ｉ２）と、ＡＤＳＬスプリッタフィルタ（８０）に接続される第１および第２のスプリッタ接続端子（Ｏ１、Ｏ２）と、ネットワーク・コントロール・ユニット（６０）に接続される第１乃至第４のユニット接続端子（Ｐ１〜Ｐ４）とを持つＡＤＳＬアダプタ（１０）であって、第１および第２のユニット接続端子（Ｐ１、Ｐ２）は、ネットワーク・コントロール・ユニット（６０）内で、それぞれ、第４および第３のユニット接続端子（Ｐ４、Ｐ３）と互いに接続されており、ＡＤＳＬアダプタ（１０）は、第１および第２の回線接続端子（Ｉ１、Ｉ２）と、第１および第２のスプリット接続端子（Ｏ１、Ｏ２）との間に配置されたハイパスフィルタ回路（２０）と；第１および第２のユニット接続端子（Ｐ１、Ｐ２）と、第１および第２の回線接続端子（Ｉ１、Ｉ２）と間に配置された第１のローパスフィルタ回路（３０）と；第３および第４のユニット接続端子（Ｐ３、Ｐ４）と、第１および第２のスプリッタ接続端子（Ｏ１、Ｏ２）との間に配置された、第２のローパスフィルタ回路（４０）および可飽和トランス部（５０）とを備え、ハイパスフィルタ回路（２０）は、第１乃至第４のコンデンサ（Ｃ１〜Ｃ４）と、インダクタ（Ｌ１）と、抵抗器（Ｒ１）とを有し、前記第１のコンデンサ（Ｃ１）と前記第３のコンデンサ（Ｃ３）とは、第１の回線接続端子（Ｉ１）と第１のスプリッタ接続端子（Ｏ１）との間に直列に接続されており、第２のコンデンサ（Ｃ２）と第４のコンデンサ（Ｃ４）とは、第２の回線接続端子（Ｉ２）と第２のスプリッタ接続端子（Ｏ２）との間に直列に接続されており、インダクタ（Ｌ１）と抵抗器（Ｒ１）とは、第１および第３のコンデンサ（Ｃ１とＣ３）の接続点と、第２および第４のコンデンサ（Ｃ２とＣ４）の接続点との間に並列に接続されていることを特徴とするＡＤＳＬアダプタが得られる。
【発明の効果】
【００２５】
第１の回線接続端子と第１のスプリッタ接続端子との間に直列接続された第１および第３のコンデンサの接続点と、第２の回線接続端子と第２のスプリッタ接続端子との間に直列接続された第２および第４のコンデンサの接続点との間に、インダクタと抵抗器とが並列に接続されているので、ＡＳＤＬアダプタの入力インピーダンスの周波数特性を、ケーブルのインピーダンスの周波数特性とマッチングさせ、通信データの周波数帯域を広くすることができる。
【発明を実施するための最良の形態】
【００２６】
以下、図面を参照して、本発明の実施の形態について説明する。
【００２７】
図１に、本発明の一実施の形態に係るＡＤＳＬアダプタ１０を含む回路を示す。図示のＡＤＳＬアダプタ１０は、ハイパスフィルタ回路の構成が相違している点を除いて、図３に示した先願のＡＤＳＬアダプタ１０Ａと同様の構成を有する。したがって、図３に示された構成要素と同様の機能を有するものには同一の参照符号を付して、説明の簡略化のためにそれらの説明は省略する。また、ハイパスフィルタ回路に２０の参照符号を付している。
【００２８】
ハイパスフィルタ回路２０は、第１乃至第４のハイパス用コンデンサＣ１、Ｃ２、Ｃ２、Ｃ４と、ハイパス用インダクタＬ１と、ハイパス用抵抗器Ｒ１とを有する。すなわち、図示のハイパスフィルタ回路２０は、先願のハイパスフィルタ回路２０Ａとは、ハイパス用抵抗器Ｒ１を更に備えている点が異なる。
【００２９】
第１のハイパス用コンデンサＣ１と第３のハイパス用コンデンサＣ３とは、第１の回線接続端子Ｉ１と第１のスプリッタ接続端子Ｏ１との間に直列に接続されている。第２のハイパス用コンデンサＣ２と第４のハイパス用コンデンサＣ４とは、第２の回線接続端子Ｉ２と第２のスプリッタ接続端子Ｏ２との間に直列に接続されている。ハイパス用インダクタＬ１は、第１のハイパス用コンデンサＣ１と第３のハイパス用コンデンサＣ３との接続点と、第２のハイパス用コンデンサＣ２と第４のハイパス用コンデンサＣ４との接続点との間に接続されている。ハイパス用抵抗器Ｒ１は、ハイパス用インダクタＬ１と並列に接続されている。
【００３０】
図２に、本発明に係るＡＤＳＬアダプタ１０の入力インピーダンスの周波数特性を示す図である。図２にから明らかなように、本発明に係るＡＤＳＬアダプタ１０の入力インピーダンスの周波数特性は、ケーブルのインピーダンスの周波数特性と、２０ｋＨｚ近傍からほぼ近似した特性となっている。
【００３１】
これに対して、先願のＡＤＳＬアダプタ１０Ａの入力インピーダンスの周波数特性は、図４に示される如く、２０ｋＨｚ近傍にて、低下傾向から上昇傾向となっている。
【００３２】
このように、本発明に係るＡＤＳＬアダプタ１０の入力インピーダンスの周波数特性が、ケーブルのインピーダンスの周波数特性とほぼ近似した特性となっている理由は、ハイパスフィルタ回路２０において、第１および第３のハイパス用コンデンサＣ１、Ｃ３の接続点と第２および第４のハイパス用コンデンサＣ２、Ｃ４の接続点との間に、ハイパス用インダクタＬ１とハイパス用抵抗器Ｒ１とを並列に接続して配置した構成に起因している。特に、ハイパス用インダクタＬ１に並列に接続されたハイパス用抵抗器Ｒ１が、２０ｋＨｚ近傍の不要な共振現象を抑制しているためである。
【００３３】
このように、本発明に係るＡＤＳＬアダプタ１０の場合、その入力インピーダンスの周波数特性が、ケーブルのインピーダンスの周波数特性とほぼ近似した特性となっている。その結果、通信データの周波数帯域を十分に広くとることが可能となる。
【００３４】
尚、本発明は、上述した実施の形態に限定されず、本発明の要旨を逸脱しない範囲内で種々の変更が可能なのはいうまでもない。
【図面の簡単な説明】
【００３５】
【図１】本発明の一実施の形態によるＡＤＳＬアダプタを含む回路を示す回路図である。
【図２】図１に示したＡＤＳＬアダプタのインピーダンスの周波数特性を示す図である。
【図３】先願のＡＤＳＬアダプタを含む回路を示す回路図である。
【図４】図３に示したＡＤＳＬアダプタのインピーダンスの周波数特性を示す図である。
【符号の説明】
【００３６】
１０    ＡＤＳＬアダプタ
２０    ハイパスフィルタ回路
３０    第１のローパスフィルタ回路
４０    第２のローパスフィルタ回路
５０    可飽和トランス部
６０    ネットワーク・コントロール・ユニット（ＮＣＵ）
７０    制御部
８０    ＡＤＳＬスプリッタフィルタ
Ｃ１〜Ｃ４    ハイパス用コンデンサ
Ｌ１    ハイパス用インダクタ
Ｒ１    ハイパス用抵抗器
【図１】
2005191652.tif 000003
【図２】
2005191652.tif 000004
【図３】
2005191652.tif 000005
【図４】
2005191652.tif 000006